(57)【要約】【課題】筐体内の排熱をより効率的に行うことが可能な、新規かつ改良された自動取引装置を提供すること。【解決手段】第１の開口部および第２の開口部を有し、第１の発熱源を格納する第１のケースと、冷却媒体を導入し、前記冷却媒体を前記第１の発熱源に供給する冷却部と、を備え、前記第１の開口部は、前記冷却部における前記冷却媒体の流入位置または流出位置における前記冷却媒体の流れ方向の延長線上に設けられ、前記第１の発熱源に供給された前記冷却媒体は、前記第２の開口部より前記第１のケース外に排出される、自動取引装置が提供される。【選択図】図３
2016167185.tif 000002
【特許請求の範囲】
【請求項１】
第１の開口部および第２の開口部を有し、第１の発熱源を格納する第１のケースと、
冷却媒体を導入し、前記冷却媒体を前記第１の発熱源に供給する冷却部と、
を備え、
前記第１の開口部は、前記冷却部における前記冷却媒体の流入位置または流出位置における前記冷却媒体の流れ方向の延長線上に設けられ、
前記第１の発熱源に供給された前記冷却媒体は、前記第２の開口部より前記第１のケース外に排出される、自動取引装置。
【請求項２】
前記冷却部は、前記第１の開口部に近接して設けられる、請求項１に記載の自動取引装置。
【請求項３】
前記第１の発熱源は、前記冷却部における前記冷却媒体の前記流出位置における前記冷却媒体の流れ方向の延長線上に設けられる、請求項１に記載の自動取引装置。
【請求項４】
前記自動取引装置は、
前記第１のケース内の空間を、前記第１の発熱源および前記第１の開口部を有する空間と、前記第１のケースに格納される第２の発熱源および前記第２の開口部を有する空間と、に仕切る仕切り板をさらに備え、
前記仕切り板は第３の開口部を有し、
前記第１の発熱源に供給された前記冷却媒体は、前記第３の開口部および前記第２の発熱源を経由して、前記第２の開口部より前記第１のケース外に排出される、請求項１に記載の自動取引装置。
【請求項５】
前記自動取引装置は、
第４の開口部および第５の開口部を有し、第３の発熱源を格納する第２のケースをさらに備え、
前記第２の開口部より排出された前記冷却媒体は、前記第４の開口部より前記第２のケースへ流入し、前記第３の発熱源を経由して、前記第５の開口部より前記第２のケース外に排出される、請求項１に記載の自動取引装置。
【請求項６】
前記自動取引装置は、前記第１のケースを収納する筐体と、
前記第１の開口部を介して前記第１のケース内の空間と前記筐体外の空間を連通する第１の流路と、
をさらに備える、請求項１に記載の自動取引装置。
【請求項７】
前記筐体は、前記第２の開口部を介して前記第１のケース内の空間と前記筐体外の空間を連通する第２の流路をさらに備える、請求項６に記載の自動取引装置。
【発明の詳細な説明】
【技術分野】
【０００１】
本発明は、自動取引装置に関する。
【背景技術】
【０００２】
昨今、現金自動預け払い機（ＡＴＭ：Ａｕｔｏｍａｔｅｄ  Ｔｅｌｌｅｒ  Ｍａｃｈｉｎｅ、以下単に「ＡＴＭ」と呼称する）などの自動取引装置が利用されている。自動取引装置は、画面に案内を表示し、案内に従って利用者によってキャッシュカード等が挿入され、キー部から暗証情報が入力されると、暗証情報の照合が成功した場合に、現金の預け入れや払い戻しなどの取引を行うことができる。かかる自動取引装置は、金融機関だけでなく、コンビニエンスストアやショッピングモールなどの小売店や、役所等の公共施設などにも多数設置されている。
【０００３】
ところで、自動取引装置は、自動取引装置の動作を制御する制御ユニットに含まれるＣＰＵ（Ｃｏｎｔｒｏｌ  Ｐｒｏｃｅｓｓｉｎｇ  Ｕｎｉｔ）や、自動取引装置の稼働のための電力を供給する電源ユニットに含まれる電源など、各ユニットに含まれる発熱源から熱を発生し得る。また、自動取引装置による取引に基づき現金を搬送するアクチュエータ等が稼働すると、さらに大きな熱が発生される。各ユニットに含まれる発熱源によって発生された熱が各ユニットを格納するケース内に滞留すると、各ケースから発生した熱により筐体内の温度が上昇し、明細レシートなどの感熱紙の発色や、自動取引装置の動作の不具合が生じるおそれがある。熱による自動取引装置の不具合の発生を回避するために、自動取引装置内の温度の上昇を抑制する技術が、例えば下記特許文献１などに開示されている。
【先行技術文献】
【特許文献】
【０００４】
【特許文献１】特開平１０−２５５１０３号公報
【発明の概要】
【発明が解決しようとする課題】
【０００５】
しかしながら、自動取引装置の小型化や電力コストの削減という観点から、自動取引装置内の熱をより効率的に排熱するための対策が求められていた。そこで、本発明は、上記問題に鑑みてなされたものであり、本発明の目的とするところは、ケース内の排熱をより効率的に行うことが可能な、新規かつ改良された自動取引装置を提供することにある。
【課題を解決するための手段】
【０００６】
上記課題を解決するために、本発明のある観点によれば、第１の開口部および第２の開口部を有し、第１の発熱源を格納する第１のケースと、冷却媒体を導入し、前記冷却媒体を前記第１の発熱源に供給する冷却部と、を備え、前記第１の開口部は、前記冷却部における前記冷却媒体の流入位置または流出位置における前記冷却媒体の流れ方向の延長線上に設けられ、前記第１の発熱源に供給された前記冷却媒体は、前記第２の開口部より前記第１のケース外に排出される、自動取引装置が提供される。
【０００７】
前記冷却部は、前記第１の開口部に近接して設けられてもよい。
【０００８】
前記第１の発熱源は、前記冷却部における前記冷却媒体の前記流出位置における前記冷却媒体の流れ方向の延長線上に設けられてもよい。
【０００９】
前記自動取引装置は、第３の開口部を有し、前記第１の発熱源および前記第１の開口部と、前記第１のケースに格納される前記第２の発熱源および前記第２の開口部との間を仕切る仕切り板と、をさらに備え、前記第１の発熱源に供給された前記冷却媒体は、前記第３の開口部および前記第２の発熱源を経由して、前記第２の開口部より前記第１のケース外に排出されてもよい。
【００１０】
前記自動取引装置は、第４の開口部および第５の開口部を有し、第３の発熱源を格納する第２のケースをさらに備え、前記第２の開口部より排出された前記冷却媒体は前記第４の開口部より前記第２のケースへ流入し、前記第３の発熱源を経由して、前記第５の開口部より前記第２のケース外に排出されてもよい。
【００１１】
前記自動取引装置は、前記第１のケースを収納する筐体と、前記第１の開口部を介して前記第１のケース内の空間と前記筐体外の空間を連通する第１の流路と、をさらに備えてもよい。
【００１２】
前記筐体は、前記第２の開口部を介して前記第１のケース内の空間と前記筐体外の空間を連通する第２の流路をさらに備えてもよい。
【発明の効果】
【００１３】
以上説明したように本発明によれば、ケース内の排熱をより効率的に行うことが可能である。
【図面の簡単な説明】
【００１４】
【図１】本発明の実施形態に係る自動取引装置の外観を示す斜視図である。
【図２】本発明の比較例による自動取引装置の構成を示した図である。
【図３】本発明の第１の実施形態に係る自動取引装置の構成を示した図である。
【図４】ファンの空気の流れの例を示した図である。
【図５】本発明の第１の実施形態に係る自動取引装置の構成の変形例を示した図である。
【図６】本発明の第２の実施形態に係る自動取引装置の構成を示した図である。
【図７】本発明の第３の実施形態に係る自動取引装置の構成を示した図である。
【図８】本発明の第４の実施形態に係る自動取引装置の構成を示した図である。
【図９】本発明の第５の実施形態に係る自動取引装置の構成を示した図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１７】
＜１．自動取引装置の概要＞
以下、本発明の実施形態に係る自動取引装置１について説明する。図１は、本発明の実施形態に係る自動取引装置１の外観を示す斜視図である。まず、図１を参照しながら、本発明の実施形態に係る自動取引装置１の外部構成について説明する。例えば、自動取引装置１は、紙幣を還流させる（リサイクルさせる）タイプのＡＴＭに代表される顧客操作型端末であってよい。また、自動取引装置１は、銀行、駅構内およびコンビニエンスストアなど、多様な場所に設置され得る。
【００１８】
図１を参照すると、自動取引装置１は、表示操作部２、カード明細口３、紙幣口４、キー操作部５、およびキー部６を、筐体７に備える。また、自動取引装置１は、生態認証部、非接触カード読み取り部など図示せぬユニットを実装してもよい。表示操作部２は、顧客による操作の誘導画面を表示する表示部および顧客入力を検出する顧客入力部としての機能を包含する。表示部としての機能は、例えば、ＣＲＴ（Ｃａｔｈｏｄｅ  Ｒａｙ  Ｔｕｂｅ）ディスプレイ装置、ＬＣＤ（Ｌｉｑｕｉｄ  Ｃｒｙｓｔａｌ  Ｄｉｓｐｌａｙ）装置、またはＯＬＥＤ（Ｏｒｇａｎｉｃ  Ｌｉｇｈｔ  Ｅｍｉｔｔｉｎｇ  Ｄｉｏｄｅ）装置等により実現される。また、顧客入力部としての機能は例えばタッチパネル等により実現される。なお、図１においては、表示操作部２は表示部および顧客入力部の機能が自動取引装置１において一体となる構成であることが示されているが、表示操作部２は、表示部および顧客入力部の機能が各々分離した構成であってもよい。
【００１９】
カード明細口３は、顧客の磁気カードの挿入および排出を行い、また、取引明細が印字されたレシート等の排出を行う。紙幣口４は、顧客による紙幣の入金口、および顧客への紙幣の出金口としての機能を有する。キー操作部５は、顧客が取引を行う際に暗証番号等を入力するためのキー部６を有する。また、キー操作部５は、他人から顧客が入力した暗証番号が盗み見されないよう、カバー等をキー部６の周囲に設けてもよい。また、カード明細口３は、カード部と明細部が分離した構成であってもよい。
【００２０】
上述した自動取引装置１により、顧客は、例えば、以下のような出金操作を行うことが可能である。まず、顧客が磁気カードをカード明細口３に挿入すると、暗証情報の入力案内が表示操作部２に表示される。顧客はキー部６を操作して暗証情報を入力する。磁気カードから読み取られたデータに基づいて暗証情報の照合が成功すると、顧客は払い戻したい金額をキー部６に入力し、表示操作部２に表示された確認ボタンを押下する操作を行う。入力された金額に相当する現金が紙幣口４に排出されると、顧客は現金を受け取り、取引が完了する。また、顧客は、自動取引装置１を用いて振込操作や入金操作等を行うことが可能である。
【００２１】
本発明の実施形態は、上述した自動取引装置１に関し、特に、自動取引装置１における筐体７内の構成に関する。そこで、以下、本発明の比較例による自動取引装置における筐体７内の構造について説明した後に、本発明の各実施形態について詳細に説明する。
【００２２】
＜２．比較例による自動取引装置＞
自動取引装置は上述したように、制御ユニットや電源ユニット等のユニットや、現金の搬送に用いられるアクチュエータなどから熱を発生し得る。各ユニットやアクチュエータにより発生した熱が、各ユニットを格納するケース内に滞留してしまうと、筐体内の温度が上昇し、自動取引装置の動作に不具合が生じるおそれがある。そのため、自動取引装置は、筐体７や上記ユニットを格納するケースの壁部に空気を通すための開口部を設け、また、上記筐体７や上記ケース内に空気を吸入し熱を排出するためのファンなどの排熱機構を設けている。
【００２３】
図２は、本発明の比較例による自動取引装置の構成を示した図である。図２に示されるように、本発明の比較例による自動取引装置は、第１の筐体開口部７１、第２の筐体開口部７２を有する筐体７と、第１の開口部９１および第２の開口部９２を有し、発熱源９４を格納するケース９０を備える。ケース９０は、筐体７に設けられる架台９６により支持され、筐体７内に収納される。なお、発熱源９４とは、例えば、自動取引装置の制御ユニットに格納されるＣＰＵあってもよい。発熱源９４は、基板９５に配置され、発熱源９４の上部には発熱源９４を冷却するためのファン９３が設置されている。また、ケース９０内の熱を排出するための熱排出ファン９７が、第２の開口部９２に近接して設置されている。
【００２４】
なお、筐体７の有する第１の筐体開口部７１、および第２の筐体開口部７２は、筐体７の外部と内部の空間を連通させる開口であり、筐体７外の空気を筐体７内に導入し、および筐体７内の熱や空気を筐体７外へ排出する。
【００２５】
図２を参照すると、まず筐体７外の空気は、ファン９３および熱排出ファン９７による吸引力により、第１の筐体開口部７１および第１の開口部９１を経由して、矢印Ａの方向に沿ってケース９０内に導入される。そしてファン９３は、ケース９０内の空気を吸引し、発熱源９４に供給する。その後、熱排出ファン９７による推進力によりケース９０内の空気が第２の開口部９２を経由して矢印Ｂの方向に排出される。
【００２６】
かかる構成により、自動取引装置は、制御部や電源部等のユニットを格納するケース９０内に滞留する熱をケース９０外へ排出することが可能であった。
【００２７】
しかしながら、従来の自動取引装置においては、多くの課題があった。例えば、発熱源９４に排出する空気はケース９０内から導入した空気であるが、既にケース９０内で空気が発熱により温まっている場合、発熱源９４に既に温まった空気を供給することとなる。そのため、発熱源９４の冷却効率が低くなり、ケース９０内の温度の上昇を防ぐことが困難となる。また、ケース９０内に複数のファンを設置して排気することは、各ファンの性能の違いによるケース９０内の圧力の変動が生じるため、排熱効率に改善の余地があった。さらに、複数のファンを設置することは、自動取引装置の小型化やコストの削減に困難が生じていた。また、複数のユニットが独立してファン等の排熱機構を有することも、上記の小型化やコスト削減を目指すうえで、大きな課題となっていた。
【００２８】
そこで、上記事情を一着眼点にして本発明の各実施形態による自動取引装置を創作するに至った。本発明の各実施形態による自動取引装置は、ケース内の排熱をより効率的に行うことが可能である。以下、本発明の各実施形態に係る自動取引装置の構成について、図３〜図９を参照しながら説明する。
【００２９】
＜３．各実施形態の詳細な説明＞
［３−１．第１の実施形態］
図３は、本発明の第１の実施形態に係る自動取引装置の構成を示した図である。図３に示されたように、本発明の第１の実施形態に係る自動取引装置１は、第１の筐体開口部７１、第２の筐体開口部７２を有する筐体７と、第１の開口部１１および第２の開口部１２を有し、第１の発熱源１４等のユニットを格納する第１のケース１０を備える。第１のケース１０は、筐体７に設けられる第１の架台１７により支持され、筐体７内に収納される。なお、第１の発熱源１４とは、例えば、自動取引装置１の制御ユニットに格納されるＣＰＵあってもよい。第１の発熱源１４は、第１の基板１５に配置され、第１の発熱源１４の上部には第１の発熱源１４を冷却するためのファン１３が設置されている。ファン１３は、第１の発熱源１４を主に冷却するための冷却装置であり、例えば図２で示されているような熱排出ファン９７とは性能が異なる。なお、第１の基板１５の上部には、コンピュータ部品１６が設けられてもよい。
【００３０】
第１の開口部１１は、筐体７外または第１のケース１０外の空気を導入するために第１のケース１０に設けられた開口である。第１の開口部１１は、ファン１３における空気の流入位置または流出位置における空気の流れ方向の延長線上に設けられる。
【００３１】
図４は、ファン１３の空気の流れＦＩおよびＦＯの例を示した図である。空気の流れＦＩおよびＦＯは、ファン１３における空気の流入位置または流出位置における空気の流れ方向を示す矢印である。また各矢印の元および先から延長している破線は、空気の流れ方向の延長線を示す。まず、ファン１３の動作により吸引される空気は、空気流入面１３ａにおける空気の流れＦＩに沿ってファン１３内に進入する。この空気の流れを鑑みると、空気流入面１３ａにおける空気の流れＦＩの方向の延長線により定義される領域ＡＩに存在する空気が、ファン１３内に導入されやすいと考えられる。したがって、例えば、第１の開口部１１の全部または一部を、空気流入面１３aにおける空気の流れＦＩの方向に存在する領域ＡＩに設けることにより、ファン１３は第１のケース１０外にある空気を効率よく導入することが可能となる。
【００３２】
なお、図３を参照すると、第１の開口部１１は第１のケース１０の上部に設けられているが、例えば、第１の開口部１１は、第１のケース１０の側部や下部に設けられてもよい。また、第１の開口部１１の形状および大きさは特に限定されない。例えば、第１の開口部１１は、スリット形状を有してもよい。
【００３３】
第２の開口部１２は、第１のケース１０内の熱を排出するために設けられた開口である。第２の開口部１２は、第１の開口部１１から導入された空気が第１のケース１０内の空間を循環した後に排出されるように設けられてもよい。これにより、第１のケース１０内における熱の滞留を抑制することが可能となる。また、第２の開口部１２は、第２の筐体開口部７２と対向するように設けられてもよい。これにより、第２の開口部１２より排出された熱が筐体７内に残留することを抑制することが可能となる。また、図３を参照すると、第２の開口部１２は第１のケース１０の側部に設けられているが、例えば、第２の開口部１２は、上部や下部に設けられてもよい。また、第２の開口部１２は、例えば、第１の発熱源１４以外にも積極的に冷却したい位置に近接して設けられてもよいし、または、ファン１３により第１のケース１０内に導入された空気が、当該冷却したい位置を通過するように設けられてもよい。そうすることにより、第１の発熱源１４より排出された空気が当該冷却したい位置を通過して、第２の開口部１２から排出され得る。なお、第２の開口部１２の形状および大きさは特に限定されない。例えば、第２の開口部１２は、スリット形状を有してもよい。
【００３４】
ファン１３は、ファン１３の有する羽の回転により、第１の開口部１１より導入された空気を吸入し、第１の発熱源１４に当該空気を供給することにより第１の発熱源１４を冷却する冷却部の一例である。図３を参照すると、ファン１３は、第１の開口部１１の下部に設けられているが、例えば、第１の開口部１１の設置位置に応じてファン１３の設置位置が決定されてもよい。これにより、第１のケース１０内に格納される各部品の配置によらず排熱の効率性が確保され得る。また、ファン１３は、例えば、第１の発熱源１４に近接して設置されてもよいし、離間して設置されてもよいが、第１の発熱源１４の発熱を抑制するための排熱能力を発揮できるように設置されることが望ましい。なお、本実施形態においては、第１の発熱源１４を冷却するファン１３は一台のみ設置されるが、例えば、自動取引装置１は、第１の発熱源１４の発熱状態に合わせてファン１３の台数を増減させてもよい。また、自動取引装置１は、第１の発熱源１４の発熱状態に合わせてファン１３の回転数等の排熱パラメータを適宜変更させてもよい。また、第１の発熱源１４の冷却効率を増加させるため、第１の発熱源１４と近接するファン１３の一部にフィン構造が設けられてもよい。
【００３５】
なお、ファン１３は、第１の開口部１１に近接して設けられてもよい。具体的には、第１の開口部１１を通過する空気の流れ方向に空気が流れ、当該空気が当該流れ方向を保ったままファン１３の空気流入面に到達するように、ファン１３が第１の開口部１１に近接して設けられてもよい。そのためには、ファン１３の空気流入面と第１の開口部１１を対向させることが望ましい。かかる構成により、第１のケース外にある空気をより多く導入することが可能となる。また、ファン１３と第１の開口部１１の距離をより短くすることにより、第１のケース１０外にある空気をさらに多く導入することが可能となる。
【００３６】
第１の発熱源１４は、第１のケース１０内に格納される制御ユニット等に設置される装置であり、当該装置の動作により自ら熱を発生する装置を示すものである。上記のように、第１の発熱源は、例えば、ＣＰＵであってもよい。例えば、第１の発熱源１４は、その演算機能を発揮するために多くの電流が流される。すると、電流により第１の発熱源１４は、発熱する。一般的に高温になったまま放置すると、制御機能が低下し、および第１の発熱源１４の寿命が低下するといった問題が生じる。また、第１のケース１０内の発熱の原因は主に第１の発熱源１４であると考えられるため、以上の問題を鑑みて、第１の発熱源１４はファン１３により積極的に冷却される必要がある。例えば、第１の発熱源１４はファン１３と近接して冷却されてもよい。これにより、第１の発熱源１４がより効率的に冷却され得る。また第１の発熱源１４の表面には、フィン構造を有するヒートシンクが設置されてもよいし、放熱グリス等の熱伝導率の高い物質等によるコーティングが施されてもよい。これにより、第１の発熱源１４の冷却効率を向上させ、ひいては第１のケース１０内や筐体７内の温度を低下させることにつながると考えられる。
【００３７】
なお、第１の発熱源は、図３に示されているように、ファン１３における空気の流出位置における空気の流れ方向の延長線上に設けられてもよい。これにより、ファン１３から排出された空気がより多く第１の発熱源１４に供給され得る。したがって、かかる構成により第１の発熱源１４をより効率的に冷却することが可能となり、第１のケース１０の排熱効率も併せて向上させることが可能となる。
【００３８】
第１の基板１５は、第１の発熱源１４やコンピュータ部品１６を設置するための基板である。第１の基板１５は、例えばマザーボード等、電子部品を設置するための電子基板であってもよい。
【００３９】
コンピュータ部品１６は、第１の発熱源１４により制御される自動取引装置１内の動作を伝達するための通信手段や、自動取引装置１により実施された取引等を記録する記憶手段等の部品である。コンピュータ部品１６は、例えば、ＳＳＤ（Ｓｏｌｉｄ  Ｓｔａｔｅ  Ｄｒｉｖｅ）などのストレージ装置や、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの通信装置であってもよい。
【００４０】
次に、図３を参照して、第１のケース１０に導入される空気の流れについて説明する。まず、筐体７外の空気は、ファン１３による吸引力により、第１の筐体開口部７１および第１の開口部１１を経由して、矢印Ａの方向に沿って第１のケース１０内に導入される。そしてファン１３は、第１のケース１０に導入された空気を取り込み、第１の発熱源１４に供給する。その後、第１の発熱源１４に供給された空気は、ファン１３による推進力により、第２の開口部１２を経由して、矢印Ｂの方向に沿って第１のケース１０外に排出される。これにより、第１のケース１０外から導入された空気は、ファン１３により、第１のケース１０内で発生した熱を回収して、第１のケース１０外に排出されることが可能である。
【００４１】
本実施形態により、ファン１３を用いて第１のケース１０内の熱を排出することが可能である。よって、より効率的に第１のケース１０内の熱を排出することが可能となる。
【００４２】
（第１の実施形態の変形例）
また、本実施例の変形例として、一端が第１の開口部１１と接続するダクト１８が、第１のケース１０の外部に設けられてもよい。上記ダクトにより、例えば、筐体７内の比較的温度が低い空間から積極的に空気を第１のケース１０内に導入することが可能となる。
【００４３】
図５は、本発明の第１の実施形態に係る自動取引装置１の構成の変形例を示した図である。本変形例に係る第１のケース１０において、図３に示した第１の実施形態に係る自動取引装置１の構成に加え、第１の開口部１１の上部にダクト１８が設けられる。
【００４４】
次に、図５を参照して、第１のケース１０に導入される空気の流れについて説明する。まず、筐体７外の空気は、ファン１３による吸引力により、第１の筐体開口部７１、ダクト１８および第１の開口部１１を経由して第１のケース１０に導入される。このとき、第１の筐体開口部７１から導入された空気は、矢印Ａの方向に沿ってダクト１８に取り込まれる。これにより、ファン１３は、第１のケース１０より離れた位置における空気を導入することが可能である。そうすると、例えば第１の筐体開口部７１の近傍など、筐体７内の比較的温度が低い空間から積極的に空気を導入することができるので、第１の発熱源１４の冷却効率を向上させることが可能となる。
【００４５】
なお、ダクト１８の第１の開口部１１と接続していない端部は、後述する第５の実施形態においても示されるように、第１の筐体開口部７１と接続されてもよい。これにより、筐体７外の空気を直接第１のケース１０内に導入することが可能である。したがって、第１の発熱源１４等の影響を受けていない空気が第１のケース１０内に供給されることにより、排熱効率をさらに向上させることが可能となる。
【００４６】
また、図５においては、ダクト１８は第１のケース１０外に設けられていたが、第１のケース１０内に設けられてもよい。そうすることにより、例えば、第１の開口部１１がファン１３と離れて設置された場合に第１の開口部１１が導入した空気を選択的にファン１３に供給することが可能となる。
【００４７】
なお、本実施例においては、第１の開口部１１が、第１の筐体開口部７１を経由して筐体７外から取り込まれた空気を導入するとしたが、第２の筐体開口部７２を経由して筐体７外から取り込まれた空気を導入してもよい。
【００４８】
また、図３を参照すると、ファン１３は、第１の開口部１１に近接して設けられている。これにより、第１のケース１０内の温まった空気ではなく、第１のケース１０外の空気を効率よく取り込むことが可能であるので、第１の発熱源１４の冷却効率をより向上させることが可能となる。さらに、ファン１３は、第１の開口部１１に接して設けられてもよい。これにより、さらに第１の発熱源１４の冷却効率を向上させることが可能となる。また、第１の開口部１１およびファン１３の位置は、図３に示されている箇所には限定されない。ただし、第１のケース１０内を効率よく排熱するという観点から、第１の開口部１１およびファン１３の位置は、第２の開口部１２の位置と離れていることが望ましい。これにより、第１のケース１０内の空間全体を排熱することが可能となる。
【００４９】
また、図３を参照すると、第２の開口部１２には、図２で示されているような熱排出ファン９７が設けられていない。上述したように、第１の発熱源１４を冷却するファン１３は、空間内の熱を外部に排出するためのファンではなく、第１の発熱源１４などの発熱源を積極的に冷却するためのファンである。そのため、第１の発熱源１４を冷却するファン１３の排熱能力は、熱排出ファン９７の排熱能力と比較して非常に高いことが考えられる。そのため、ファン１３は、第１のケース１０内の熱を排出するのに十分な排熱能力を有していると考えられる。しかし、本発明の実施形態はかかる例には限定されず、例えば、第１のケース１０は、ファン１３とは別のファンを第２の開口部１２に近接して設けてもよい。これにより、第１のケース１０内の排熱能力をさらに高めることが可能である。
【００５０】
［３−２．第２の実施形態］
以上、図３を参照して、本発明の第１の実施形態に係る自動取引装置１について説明した。続いて、本発明の第２の実施形態に係る自動取引装置１について説明する。
【００５１】
図６は、本発明の第２の実施形態に係る自動取引装置１の構成を示した図である。図６に示されたように、本発明の第２の実施形態に係る自動取引装置１は、第１の筐体開口部７１、第２の筐体開口部７２を有する筐体７と、第１の開口部１１および第２の開口部１２を有し、第１の発熱源１４等のユニットを格納する第１のケース１０を備える。第１のケース１０は、筐体７に設けられる第１の架台１７により支持され、筐体７内に収納される。なお、第１の基板１５の上部には、コンピュータ部品１６が設けられてもよい。
【００５２】
そして、本実施形態においては、第１の発熱源１４を冷却するためのファン１３は、第１の開口部１１の上部に、ファン１３から排出される空気の流出位置における流れ方向の延長線上に設置される。図４を参照すると、ファン１３の動作により排出される空気は、空気流出面１３ｂにおける空気の流れＦＯに沿ってファン１３外に排出される。すると、空気の流れＦＯの方向の延長線により定義される領域ＡＯに空気が供給されやすいと考えられる。したがって、例えば、第１の開口部１１の全部または一部を、空気流出面１３ｂと対向し空気の流れＦＯの方向に存在する領域ＡＩに設けることにより、ファン１３は、第１のケース１０外の空気を直接導入し、第１のケース１０内に供給することが可能となる。なお、ファン１３は、第１の開口部１１と近接して設けられてもよい。具体的には、ファン１３の空気流出面は、第１の開口部１１と近接して設けられてもよい。これにより、より多くの空気を第１のケース１０内に供給することが可能となる。また、ファン１３と第１の開口部１１の距離をより短くすることにより、第１のケース１０内にさらに多くの空気を供給することが可能となる。
【００５３】
次に、図６を参照して、本実施形態における、第１のケース１０に導入される空気の流れについて説明する。まず、筐体７外の空気は、ファン１３による吸引力により、第１の筐体開口部７１等を経由して、矢印Ａの方向に沿ってファン１３に吸引される。そしてファン１３は、第１の開口部１１を経由して第１のケース１０内に導入し、第１の発熱源１４に排出する。その後、第１の発熱源１４に供給された空気は、ファン１３による推進力により、第２の開口部１２を経由して、矢印Ｂの方向に沿って第１のケース１０外に排出される。これにより、第１のケース１０外から導入された空気は、ファン１３により、第１のケース１０内で発生した熱を回収して、第１のケース１０外に排出されることが可能である。
【００５４】
本実施形態により、第１のケース１０外の空気を直接第１のケース１０内に導入することが可能である。よって、第１の発熱源１４の冷却効率を高めることが可能となる。
【００５５】
また、図６を参照すると、第１のケース１０内における第１の発熱源１４から第２の開口部１２までの空間が、図３に示されている第１のケース１０内における当該空間と比較して、狭く設けられている。これにより、単位体積あたりの空気の流量を増やすことができ、より効率的な排熱が実施され得る。
【００５６】
なお、図６を参照すると、ファン１３は、第１の開口部１１と近接するように設けられているが、上述したように、ファン１３の設置位置は、第１の開口部１１の設置位置に応じて適宜変更されてもよい。これにより、第１のケース１０内に格納される各部品の配置によらず排熱の効率性が確保され得る。また、ファン１３の上部にダクトが設けられてもよい。上記ダクトにより、例えば、筐体７内の比較的温度が低い空間から積極的に空気を第１のケース１０内に導入することが可能となる。さらに、ファン１３と第１の開口部１１の間にダクトが設けられてもよい。上記ダクトにより、第１の開口部１１がファン１３と離れて設置された場合にファン１３が排出した空気が、第１の開口部１１に供給されることが可能となる。
【００５７】
［３−３．第３の実施形態］
以上、図６を参照して、本発明の第２の実施形態に係る自動取引装置１について説明した。続いて、本発明の第３の実施形態に係る自動取引装置１について説明する。本実施形態に係る自動取引装置１は、第１のケース１０内に、第１の発熱源１４等の発熱源の他に、第２の発熱源２２をさらに備える。この第２の発熱源２２は、例えば、電源ユニットにおける電源装置であってもよい。
【００５８】
図７は、本発明の第３の実施形態に係る自動取引装置１の構成を示した図である。図７に示されたように、本発明の第３の実施形態に係る自動取引装置１は、第１の筐体開口部７１、第２の筐体開口部７２を有する筐体７と、第１の開口部１１および第２の開口部１２を有し、第１の発熱源１４等のユニットを格納する第１のケース１０を備える。第１のケース１０は、筐体７に設けられる第１の架台１７により支持され、筐体７内に収納される。なお、第１の基板１５の上部には、コンピュータ部品１６が設けられてもよい。
【００５９】
さらに、第１のケース１０は、第１のケース１０の空間を仕切る仕切り板２３を備える。例えば、第１の開口部１１、ファン１３、第１の発熱源１４、第１の基板１５等は、仕切り板２３により仕切られる一方の空間に設けられる。また、仕切り板２３によって仕切られた他方の空間には、第２の開口部１２、第２の発熱源２２、および第２の基板２４が設けられる。また、第２の発熱源２２は、第２の基板２４の上部に設けられる。上記一方の空間と他方の空間とを連通させる第３の開口部２１が、仕切り板２３に設けられる。
【００６０】
第３の開口部２１は、仕切り板２３によって仕切られた一方の空間と他方の空間を連通させる仕切り板２３に設けられた開口である。第３の開口部２１は、第１の開口部１１から導入され上記一方の空間から流れてきた空気を他方の空間に流すことが可能である。なお、図７を参照すると、第３の開口部２１は、仕切り板２３の縁に設けられているが、かかる例に限定されない。ただし、第３の開口部２１は、第１の開口部１１から導入された空気が、例えば、第１のケース１０内の空間における第１の発熱源１４や第２の発熱源２２等の積極的に冷却したい位置を通過して第２の開口部１２から排気されるように設けられることが望ましい。例えば、第３の開口部２１の位置は、第１の開口部１１および第２の開口部１２から離れていればよく、図７に示した例に限定されない。なお、第３の開口部２１の形状は限定されない。例えば、第３の開口部２１は、スリット形状を有してもよい。
【００６１】
次に、図７を参照して、第１のケース１０に導入される空気の流れについて説明する。まず、筐体７外の空気は、ファン１３の吸引力により、第１の筐体開口部７１および第１の開口部１１を経由して矢印Ａの方向に沿って第１のケース１０内に導入される。そしてファン１３は、第１のケース１０に導入された空気を取り込み、第１の発熱源１４に排出する。その後、第１の発熱源１４に供給された空気は、ファン１３による推進力により、第３の開口部２１を経由して、矢印Ｃの方向に沿って第１のケース１０内の他方の空間に排出される。これにより、第１のケース１０内の一方の空間に導入された空気は、第１のケース１０内の他方の空間に供給されることが可能である。
【００６２】
第１のケース１０内の他方の空間に供給された空気は、ファン１３による推進力により、第２の発熱源２２を経由する。そして、第２の発熱源２２を経由した空気は、ファン１３による推進力により、第２の開口部１２を経由して、矢印Ｂの方向に第１のケース１０外に排出される。これにより、第１のケース１０外から導入された空気は、ファン１３により、第１のケース１０内の第１の発熱源１４および第２の発熱源２２において発生した熱を回収して、第１のケース１０外に排出されることが可能である。
【００６３】
本実施形態により、ファン１３を用いて第１のケース１０に含まれる複数の発熱源をまとめて冷却し、第１のケース１０内の熱を排出することが可能である。これにより、複数のユニットを一度に排熱することが可能となる。また、例えば、第２の発熱源２２を冷却するためのファン等の冷却装置が不要となる。よって、新たなファン等の装置の設置コストおよび運転コストを削減することが可能となる。
【００６４】
なお、仕切り板２３による第１のケース１０内の空間の仕切り方は限定されない。図７においては、第１のケース１０内の空間は仕切り板２３により上部と下部に仕切られているが、例えば、第１の開口部１１、ファン１３、および第１の発熱源１４と、第２の開口部１２、および第２の発熱源２２がそれぞれ別の空間に仕切られることが可能であれば、仕切り板２３の位置は、それらの位置に応じて自由に決められてもよい。これにより、複数のユニットを一度に排熱することが可能となる。
【００６５】
また、仕切り板２３の設置により、例えば、第１の発熱源１４で発生した熱が、他方の空間へ伝達することを抑制することが可能となる。
【００６６】
また、仕切り板２３の材質は特に限定されない。例えば、筐体７と同一の材質であってもよいし、筐体７と異なる材質であってもよい。
【００６７】
また、仕切り板２３の大きさは特に限定されない。例えば、図７に示されたように、仕切り板２３は、第１のケース１０の側部と接するように設けられてもよいし、部分的に接するように設けられてもよい。ただし、上述したように、他方の空間への熱の伝達を抑制するという観点から、仕切り板２３は、第１のケース１０の側部と接するように設けられることが望ましい。また、仕切り板２３が第１のケース１０の側部と接するように設けられていれば、第１のケース１０の強度が増すことが可能であるという新たな効果も享受され得る。
【００６８】
また、図７を参照すると、ファン１３および第１の発熱源１４は、仕切り板２３により仕切られた上部の空間に設けられていたが、本発明はかかる例に限定されない。例えば、ファン１３および第１の発熱源１４は、仕切り板２３により仕切られた下部の空間に設けられ、第２の開口部１２より空気を導入してもよい。その場合、第１のケース１０の下部の空間に導入された空気は、第１の発熱源１４から回収した熱によって温められることにより空気の比重が小さくなるので、第１のケース１０の下部から上部への空気の流れがより促進されると考えられる。空気の流れが促進されることにより、ファン１３により第１のケース１０内に導入される空気の単位時間当たりの量が増加するので、第１のケース１０内の排熱効率を向上させることが可能となる、新しい効果が享受され得る。
【００６９】
［３−４．第４の実施形態］
以上、図７を参照して、本発明の第３の実施形態に係る自動取引装置１について説明した。続いて、本発明の第４の実施形態に係る自動取引装置１について説明する。本実施形態に係る自動取引装置１は、第２のケース３０、および第２のケース３０を支持する第２の架台３５を、筐体７内にさらに備える。
【００７０】
図８は、本発明の第４の実施形態に係る自動取引装置１の構成を示した図である。図８に示されたように、本発明の第４の実施形態に係る自動取引装置１は、第１の筐体開口部７１、第２の筐体開口部７２を有する筐体７と、第１の開口部１１および第２の開口部１２を有し、第１の発熱源１４等のユニットを格納する第１のケース１０を備える。第１のケース１０は、筐体７に設けられる第１の架台１７により支持され、筐体７内に収納される。なお、第１の基板１５の上部には、コンピュータ部品１６が設けられてもよい。
【００７１】
さらに、第２のケース３０は、第４の開口部３１および第５の開口部３２を有し、さらに、第３の発熱源３３および第３の基板３４を第２のケース３０内に備える。第３の発熱源３３は、第３の基板３４上に設けられ、例えば、電源ユニットにおける電源装置であってもよい。
【００７２】
第４の開口部３１は、第２の開口部１２から排出された空気を導入するために第２のケース３０に設けられた開口である。図８を参照すると、第４の開口部３１は、第２の開口部１２と対向して設けられている。これにより、第２の開口部１２から排出された空気が、第４の開口部３１に流入しやすくなる。また、図８に示したように、第４の開口部３１と第２の開口部１２は、ダクトなどの流路により連結されてもよい。これにより、第２の開口部１２から排出された空気が筐体７内に漏出すること、および、筐体７内の空気が第４の開口部３１から第２のケース３０内に混入することを防ぐことが可能である。また、第１の開口部１１から導入された空気が、第５の開口部３２まで一方通行で流れる効果が生じるため、第１のケース１０内および第２のケース３０内の排熱をより効率的に行うことが可能となる。
【００７３】
なお、第４の開口部３１および第５の開口部３２の形状は限定されない。例えば、第４の開口部３１および第５の開口部３２は、スリット形状を有してもよい。また、第４の開口部３１および第５の開口部３２の設けられる位置は特に限定されない。ただし、第４の開口部３１の位置は、第２の開口部１２と近接であることが望ましい。第２の開口部１２と第４の開口部３１が離れて設けられると、第１のケース１０から第２のケース３０へと空気を移動させるための圧力損失が大きくなり、ファン１３による冷却効率が低下するためである。また、第５の開口部３２は、第４の開口部３１と離れて設けられることが望ましい。上記の各開口部を離れて設けることにより、第２のケース３０内に滞留する熱が排出されやすくなるからである。
【００７４】
次に、図８を参照して、第１のケース１０および第２のケース３０に導入される空気の流れについて説明する。まず、筐体７外の空気は、ファン１３による吸引力により、第１の筐体開口部７１および第１の開口部１１を経由して、矢印Ａの方向に沿って第１のケース１０内に導入される。そしてファン１３は、第１の発熱源１４に供給された空気は、ファン１３による推進力により、矢印Ｃの方向に沿って第２の開口部１２を経由して、第１のケース１０外に排出され、第４の開口部３１を経由して第２のケース３０内に導入される。これにより、第１のケース１０内に導入された空気は、第４の開口部３１を経由して、第２のケース３０内に供給されることが可能である。
【００７５】
第２のケース３０内に供給された空気は、ファン１３による推進力により、第３の発熱源３３を経由する。そして、第３の発熱源３３を経由した空気は、ファン１３による推進力により、第５の開口部３２を経由して、第２のケース３０外に排出される。これにより、第１のケース１０外から導入された空気は、ファン１３により、第１のケース１０内の第１の発熱源１４および第２のケース３０内の第３の発熱源３３において発生した熱を回収して、第２のケース３０外に排出されることが可能である。
【００７６】
本実施形態により、ファン１３を用いて第１のケース１０および第２のケース３０に含まれる複数の発熱源をまとめて冷却し、第１のケース１０内および第２のケース３０内の熱を排出することが可能となる。これにより、複数のユニットを一度に排熱することが可能となる。また、例えば第２のケース３０内の熱を排出するためのファン等の冷却装置が不要となる。これにより、よって、新たなファン等の装置の設置コストおよび運転コストを削減することが可能となる。
【００７７】
なお、図８を参照すると、第１のケース１０は第２のケース３０の上部に設けられているが、第１のケース１０と第２のケース３０の配置関係は特に限定されない。例えば、第１のケース１０が第２のケース３０の下部に設けられてもよい。その場合、第１のケース１０に導入された空気は第２のケース３０へと移動するが、第２のケース３０が第１のケース１０の上部にあるため、各ケース内の熱により温められた空気が容易に流れやすくなるという新しい効果が享受され得る。
【００７８】
また、図８を参照すると、第１のケース１０は第１の架台１７により支持されているが、第１のケース１０は、第２のケース３０の上部に接して設けられてもよい。この構成は、本実施形態の第２の実施形態と同様の効果を奏するものと考えられる。
【００７９】
［３−５．第５の実施形態］
以上、図８を参照して、本発明の第４の実施形態に係る自動取引装置１について説明した。続いて、本発明の第５の実施形態に係る自動取引装置１について説明する。本実施形態に係る自動取引装置１は、第１のケース１０内に、第１の発熱源１４等の発熱源の他に、第４の発熱源１９をさらに備える。この第４の発熱源１９は、例えば、電源ユニットにおける電源装置であってもよい。
【００８０】
図９は、本発明の第５の実施形態に係る自動取引装置１の構成を示した図である。図９に示されたように、本発明の第５の実施形態に係る自動取引装置１は、第１の筐体開口部７１、第２の筐体開口部７２を有する筐体７と、第１の開口部１１および第２の開口部１２を有し、第１の発熱源１４および第４の発熱源１９等のユニットを格納する第１のケース１０を備える。第１のケース１０は、筐体７に設けられる第１の架台１７により支持され、筐体７内に収納される。なお、第１の基板１５の上部には、不図示のコンピュータ部品が設けられてもよい。
【００８１】
さらに、第１の開口部１１と第１の筐体開口部７１は、第１の流路７３により接続されている。また、第２の開口部１２と第２の筐体開口部７２は、第２の流路７４により接続されている。第１の流路７３および第２の流路７４は、筐体７外の空間と第１のケース１０内の空間を連通させる。なお、図９に示されているように、第１の流路７３は、例えば、ダクトや配管、ホース等であってもよい。また、第１の流路７３は、第１の開口部１１と第１の筐体開口部７１が対向して接することにより形成されてもよい。また、第１の流路７３の形状は特に限定されない。なお、上記の第１の流路７３にかかる変形例については、第２の流路７４においても同様である。
【００８２】
次に、図９を参照して、第１のケース１０に導入される空気の流れについて説明する。まず、筐体７外の空気は、ファン１３の吸引力により、矢印Ａの方向に沿って第１の流路７３を経由して第１のケース１０内に導入される。これにより、筐体７外の空気を直接第１のケース１０内に導入することが可能である。
【００８３】
そして、ファン１３は、第１のケース１０に導入された空気を取り込み、第１の発熱源１４に排出する。その後、第１の発熱源１４に供給された空気は、ファン１３による推進力により、第４の発熱源１９を経由する。そして、第４の発熱源１９を経由した空気は、ファン１３による推進力により、第２の流路７４を経由して第１のケース外に排出される。これにより、筐体７外から導入された空気は、ファン１３により、第１のケース１０内の第１の発熱源１４および第４の発熱源１９において発生した熱を回収して、筐体７外に排出されることが可能である。
【００８４】
本実施形態により、筐体７外の比較的温度の低い空気を積極的に導入することが可能となる。よって、第１のケース１０内の冷却効率をより向上させることが可能となる。
【００８５】
さらに、本実施形態により、第１のケース１０内の熱を回収した空気を、直接筐体７外へ排出することが可能となる。よって、筐体７内に排出され得る熱により生じる温度上昇を抑制することが可能となる。
【００８６】
＜４．まとめ＞
以上説明したように、本発明の第１〜第５の実施形態によれば、自動取引装置１内の排熱をより効率的に行うことが可能である。
【００８７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８８】
例えば、上記実施形態では、第１のケース１０および第２のケース３０に格納されているユニットは自動取引装置１の動作を制御する第１の発熱源１４を含む制御ユニットおよび自動取引装置１に格納される制御ユニットやアクチュエータ等に電力を供給する電源ユニットとしたが、本発明はかかる例に限定されない。例えば、第１のケース１０に格納されるユニットが、上記電源ユニットであってもよく、また上記アクチュエータを格納するユニットであってもよい。
【００８９】
また、上記実施形態では、第１のケース１０内に仕切り板２３を１枚設け、仕切り板２３に設けられた第３の開口部２１により、上記仕切り板２３により仕切られた空間を連通させて排熱する構成としたが、本発明はかかる例に限定されない。例えば、自動取引装置１は、仕切り板２３を複数用意して、第１のケース１０内を複数の空間に仕切ってもよい。これにより、さらに筐体７内に生じる熱を効率的に排出することが可能となる。
【００９０】
また、上記実施形態では、第１のケース１０内と第２のケース３０内の空間を連通させて排熱する構成としたが、本発明はかかる例に限定されない。例えば、自動取引装置１は、第１のケース１０内の空間および不図示の他のケース内の空間を連通させて排熱する構成としてもよいし、第１のケース１０内の空間および２以上の複数のケース内の空間と連通させて排熱する構成としてもよい。これにより、さらに筐体７内に生じる熱を効率的に排出することが可能となる。
【００９１】
また、上記実施形態において排熱のために用いられた空気は冷却媒体の一例であり、本発明はかかる例に限定されない。例えば、本発明に用いられ得る冷却媒体は、窒素や炭酸ガス等の不活性ガスや有機冷媒ガス等でもよい。また、本発明に用いられ得る冷却媒体は、冷却油等の液体であってもよい。
【００９２】
また、上記実施形態において排熱のために用いられたファン１３は冷却部の一例であり、本発明はかかる例に限定されない。例えば、本発明に用いられ得る冷却部は、第１のケース外から取り入れた空気をさらに冷やす冷房装置であってもよい。
【００９３】
また、図３、および図５〜図９に示された例においては、各実施形態の構成が個別に示されていたが、本発明の実施形態は、各実施形態の構成の例に限定されず、本明細書において示された各実施形態の組み合わせにより実現される構成としてもよい。例えば、本発明の実施形態は、第３の実施形態と、第４の実施形態との組み合わせにより実現される構成とすることも可能である。
【符号の説明】
【００９４】
１      自動取引装置
２      表示部
３      カード明細口
４      紙幣口
５      キー操作部
６      キー部
７      筐体
１０    第１のケース
１１    第１の開口部
１２    第２の開口部
１３    ファン
１４    第１の発熱源
１５    第１の基板
１６    コンピュータ部品
１７    第１の架台
１８    ダクト
１９    第４の発熱源
２１    第３の開口部
２２    第２の発熱源
２３    仕切り板
２４    第２の基板
３０    第２のケース
３１    第４の開口部
３２    第５の開口部
３３    第３の発熱源
３４    第３の基板
３５    第２の架台
７１    第１の筐体開口部
７２    第２の筐体開口部
７３    第１の流路
７４    第２の流路
【図１】
2016167185.tif 000003
【図２】
2016167185.tif 000004
【図３】
2016167185.tif 000005
【図４】
2016167185.tif 000006
【図５】
2016167185.tif 000007
【図６】
2016167185.tif 000008
【図７】
2016167185.tif 000009
【図８】
2016167185.tif 000010
【図９】
2016167185.tif 000011